(57)【要約】【課題】  ネットワークに新規に通信装置を登録する作業を簡易とする。【解決手段】  本発明は、通信制御装置と既にネットワークに既登録の通信装置と、ネットワークに新規登録の通信装置とを備えるネットワークシステムに関する。そして、通信制御装置は、既登録の通信装置を介して新規登録の通信装置と通信し登録処理を受付け、既登録の通信装置は、通信制御装置に登録要求信号を送信し、新規登録の通信装置から探索要求信号を受信した場合新規登録の通信装置と通信制御装置との間の通信を中継し、新規登録の通信装置は、探索要求信号を発信し、応答する既登録の通信装置を介して通信制御装置と通信してネットワークに登録する要求を行うことを特徴とする。【選択図】      図１
2015233180.tif 000002
【特許請求の範囲】
【請求項１】
ネットワークに接続する通信装置を管理する通信制御装置と、上記通信制御装置に、既に上記ネットワークに接続するための登録がなされている１又は複数の既登録の通信装置と、新規に上記通信制御装置に上記ネットワークに接続するための登録を行う新規登録の通信装置とを備えるネットワークシステムにおいて、
上記通信制御装置は、
いずれかの既登録の通信装置から、新規登録の通信装置の登録要求を示す登録要求信号を受信した場合、上記ネットワーク上に、新規登録の通信装置の登録が可能な状態であることを判断する登録可能状態判定手段と、
上記登録可能状態判定手段が、新規登録の通信装置の登録を可能な状態であることを判断した場合、既登録の通信装置を介して、新規登録の通信装置と通信し、当該新規登録の通信装置を、上記ネットワークに接続する通信装置として登録する登録処理を受付ける登録受付手段とを有し、
上記既登録の通信装置は、
上記通信制御装置に、登録要求信号を送信する登録要求信号送信手段と、
新規登録の通信装置から接続可能なネットワークを探索するための探索要求信号を受信した場合、当該新規登録の通信装置と、上記通信制御装置との間の通信を中継する通信中継手段とを有し、
上記新規登録の通信装置は、
探索要求信号を発信する探索要求信号送信手段と、
既登録の通信装置から探索要求信号に対する応答があった場合、当該既登録の通信装置を介して、上記通信制御装置と通信して、上記ネットワークに登録する要求を行う登録要求手段とを有する
ことを特徴とするネットワークシステム。
【請求項２】
上記登録可能状態判定手段は、新規登録の通信装置の登録が可能な状態であることを判断した場合、上記ネットワーク上に、新規登録の通信装置の登録が可能である旨を示す登録可能信号を送信し、
上記通信中継手段は、新規登録の通信装置から探索要求信号を受信した場合、当該新規登録の通信装置に、上記通信制御装置から受信した登録可能信号に係るデータを転送するとともに、当該新規登録の通信装置と、上記通信制御装置との間の通信を中継し、
上記登録受付手段は、上記登録要求信号の送信元となる既登録の通信装置を介して、新規登録の通信装置と通信し、当該新規登録の通信装置を登録する登録処理を受付ける
ことを特徴とする請求項１に記載のネットワークシステム
【請求項３】
上記既登録の通信装置は、
所定の入力を受付け可能な入力手段をさらに有し、
上記登録要求信号送信手段は、上記入力手段に所定の入力が行われた場合に、登録要求信号を上記通信制御装置に送信する
ことを特徴とする請求項２に記載のネットワークシステム。
【請求項４】
上記新規登録の通信装置は、
所定の入力を受付け可能な入力手段をさらに有し、
上記探索要求信号送信手段は、上記入力手段に所定の入力が行われた場合に、探索要求信号を発信する
ことを特徴とする請求項２又は３に記載のネットワークシステム。
【請求項５】
上記登録可能状態判定手段は、上記ネットワーク全体に、登録可能信号を送出することを特徴とする請求項２〜４のいずれかに記載のネットワークシステム。
【請求項６】
上記登録可能状態判定手段は、受信した登録要求信号の送信元となっていた既登録の通信装置にだけ、登録可能信号を送信することを特徴とする請求項２〜４のいずれかに記載のネットワークシステム。
【請求項７】
１又は複数の既登録の通信装置に係る識別情報の一覧を保持する管理手段をさらに備え、
上記登録可能状態判定手段は、上記管理手段で管理されている識別情報に係る既登録の通信装置から送出された登録要求信号にのみ、登録可能信号を応答送信すること
を特徴とする請求項２〜６のいずれかに記載のネットワークシステム。
【請求項８】
ネットワークに接続する通信装置を管理する通信制御装置において、
既に上記ネットワークに接続するための登録がなされている既登録の通信装置から、新規に上記通信制御装置に上記ネットワークに接続するための登録を行う新規登録の通信装置の登録要求を示す登録要求信号を受信した場合、上記ネットワーク上に、新規登録の通信装置の登録が可能な状態であることを判断する登録可能状態判定手段と、
上記登録可能状態判定手段が、新規登録の通信装置の登録を可能な状態であることを判断した場合、既登録の通信装置を介して、新規登録の通信装置と通信し、当該新規登録の通信装置を、上記ネットワークに接続する通信装置として登録する登録処理を受付ける登録受付手段とを有する
ことを特徴とする通信制御装置。
【請求項９】
ネットワークに接続する通信装置を管理する通信制御装置に既に上記ネットワークに接続するための登録がなされている既登録の通信装置において、
上記通信制御装置に、登録要求信号を送信する登録要求信号送信手段と、
新規に上記通信制御装置に上記ネットワークに接続するための登録を行う新規登録の通信装置から接続可能なネットワークを探索するための探索要求信号を受信した場合、当該新規登録の通信装置と、上記通信制御装置との間の通信を中継する通信中継手段とを有する
ことを特徴とする通信装置。
【請求項１０】
新規にネットワークに接続する通信装置を管理する通信制御装置に上記ネットワークに接続するための登録を行う新規登録の通信装置において、
接続可能なネットワークを探索するための探索要求信号を発信する探索要求信号送信手段と、
上記通信制御装置に既に上記ネットワークに接続するための登録がなされている既登録の通信装置から、探索要求信号に対する応答があった場合、当該既登録の通信装置を介して、上記通信制御装置と通信して、上記ネットワークに登録する要求を行う登録要求手段とを有する
ことを特徴とする通信装置。
【請求項１１】
ネットワークに接続する通信装置を管理する通信制御装置と、上記通信制御装置に、既に上記ネットワークに接続するための登録がなされている１又は複数の既登録の通信装置と、新規に上記通信制御装置に上記ネットワークに接続するための登録を行う新規登録の通信装置とを備えるネットワークシステムにおいて、
上記通信制御装置は、
いずれかの既登録の通信装置から、新規登録の通信装置の登録要求を示す登録要求信号を受信した場合、上記ネットワーク上に、新規登録の通信装置の登録が可能な状態であることを判断する登録可能状態判定手段と、
上記登録可能状態判定手段が、新規登録の通信装置の登録を可能な状態であることを判断した場合、既登録の通信装置を介して、新規登録の通信装置と通信し、当該新規登録の通信装置を、上記ネットワークに接続する通信装置として登録する登録処理を受付ける登録受付手段とを有し、
第１の上記既登録の通信装置は、
上記通信制御装置に、登録要求信号を送信する登録要求信号送信手段を有し、
第２の上記既登録の通信装置は、
新規登録の通信装置から接続可能なネットワークを探索するための探索要求信号を受信した場合、当該新規登録の通信装置と、上記通信制御装置との間の通信を中継する通信中継手段とを有し、
上記新規登録の通信装置は、
探索要求信号を発信する探索要求信号送信手段と、
既登録の通信装置から探索要求信号に対する応答があった場合、当該既登録の通信装置を介して、上記通信制御装置と通信して、上記ネットワークに登録する要求を行う登録要求手段を有する
ことを特徴とするネットワークシステム。
【請求項１２】
ネットワークに接続する通信装置を管理する通信制御装置に既に上記ネットワークに接続するための登録がなされている既登録の通信装置において、新規に上記通信制御装置に上記ネットワークに接続するための登録を行う新規登録の通信装置から接続可能なネットワークを探索するための探索要求信号を受信した場合、当該新規登録の通信装置と、上記通信制御装置との間の通信を中継する通信中継手段を有することを特徴とする通信装置。
【請求項１３】
ネットワークに接続する通信装置を管理する通信制御装置に既に上記ネットワークに接続するための登録がなされている既登録の通信装置において、上記通信制御装置に、登録要求信号を送信する登録要求信号送信手段を有することを特徴とする通信装置。
【発明の詳細な説明】
【技術分野】
【０００１】
本発明は、ネットワークシステム、通信制御装置及び通信装置に関し、例えば、無線マルチホップネットワークにおいて、通信装置をネットワークに登録する処理に適用し得る。
【背景技術】
【０００２】
近年、携帯電話綱や公衆無線網等のネットワークに接続する無線通信装置が広く普及している。現状の当該無線通信装置には、ノートパソコン、携帯電話、スマートフォン等のグラフィカルユーザインタフェース（ＧＵＩ）を備える通信装置が多いが、今後は、無線センサ装置等の簡易な外部インタフェースしか備えない通信装置（例えば、ボタンや表示ランプ等のみを備える無線組込み通信装置）も広く普及すると考えられる。
【０００３】
このような無線通信装置を、無線ネットワークに初めて接続設定するためには、無線通信装置の識別情報や当該無線通信装置を認証するための認証情報を無線ネットワークのアクセスポイント（または、認証サーバ）に登録し、また、無線ネットワークの識別情報や、無線ネットワークに参加させるための認証情報を、無線通信装置に登録する必要がある。しかし、このような登録作業は、パソコン等のＩＴ機器やネットワークにあまりなじみのない一般ユーザには煩雑な作業となる。当該無線通信装置を一般家庭においても広く普及させるためには、前記無線通信装置のネットワーク初期接続設定を簡単に実現する方法が必要である。
【０００４】
上記の問題を解決する方法として、特許文献１には、アクセスポイントおよびネットワークに加入させる端末のボタンを押下するだけで、アクセスポイントおよび通信装置間でネットワーク設定のための情報を交換し、簡単にネットワーク登録できる方法が説明されている。このような、従来の通信装置の設定方法では、アクセスポイントのボタン押下後任意の期間のみ、新規端末からの登録要求を受け入れること（初期登録を許す限定受信モード）により、第三者端末の不正な登録を排除する。また、従来の通信装置の設定方法では、アクセスポイントが備える表示ランプの点滅／点灯によって、現在の通信モード（初期登録を許す限定受信モード／通常時の無線交信モード）を識別することができ、ネットワーク初期設定の完了を知ることができる。
【先行技術文献】
【特許文献】
【０００５】
【特許文献１】特開２００５−１４２９０７号公報
【発明の概要】
【発明が解決しようとする課題】
【０００６】
しかしながら、無線マルチホップネットワークに対して新規に通信装置を登録する場合には、アクセスポイントと新規に登録したい通信装置とが物理的に離れている場合がある。これは、すなわち、無線マルチホップネットワークでは、アクセスポイントから直接電波が届かない通信装置であっても、他の通信装置を中継装置としてデータを交換することができるため、新規に登録したい通信装置が、必ずしもアクセスポイントの近傍に設置されるとは限らないためである。
【０００７】
この場合、アクセスポイントから離れた場所においても、新規に通信装置をネットワークに簡単に登録できる方法が必要になる。
【０００８】
そのため、ネットワークに新規に通信装置を登録する作業を簡易とすることができるネットワークシステム、通信制御装置及び通信装置が望まれている。
【課題を解決するための手段】
【０００９】
第１の本発明は、ネットワークに接続する通信装置を管理する通信制御装置と、上記通信制御装置に、既に上記ネットワークに接続するための登録がなされている１又は複数の既登録の通信装置と、新規に上記通信制御装置に上記ネットワークに接続するための登録を行う新規登録の通信装置とを備えるネットワークシステムにおいて、（１）上記通信制御装置は、（１−１）いずれかの既登録の通信装置から、新規登録の通信装置の登録要求を示す登録要求信号を受信した場合、上記ネットワーク上に、新規登録の通信装置の登録が可能な状態であることを判断する登録可能状態判定送信手段と、（１−２）上記登録可能状態判定手段が、新規登録の通信装置の登録を可能な状態であることを判断した場合、既登録の通信装置を介して、新規登録の通信装置と通信し、当該新規登録の通信装置を、上記ネットワークに接続する通信装置として登録する登録処理を受付ける登録受付手段とを有し、（２）上記既登録の通信装置は、（２−１）上記通信制御装置に、登録要求信号を送信する登録要求信号送信手段と、（２−２）新規登録の通信装置から接続可能なネットワークを探索するための探索要求信号を受信した場合、当該新規登録の通信装置と、上記通信制御装置との間の通信を中継する通信中継手段とを有し、（３）上記新規登録の通信装置は、（３−１）探索要求信号を発信する探索要求信号送信手段と、（３−２）既登録の通信装置から探索要求信号に対する応答があった場合、当該既登録の通信装置を介して、上記通信制御装置と通信して、上記ネットワークに登録する要求を行う登録要求手段とを有することを特徴とする。
【００１０】
第２の本発明は、ネットワークに接続する通信装置を管理する通信制御装置において、（１）既に上記ネットワークに接続するための登録がなされている既登録の通信装置から、新規に上記通信制御装置に上記ネットワークに接続するための登録を行う新規登録の通信装置の登録要求を示す登録要求信号を受信した場合、上記ネットワーク上に、新規登録の通信装置の登録が可能な状態であることを判断する登録可能状態判定手段と、（２）上記登録可能状態判定手段が、新規登録の通信装置の登録を可能な状態であることを判断した場合、既登録の通信装置を介して、新規登録の通信装置と通信し、当該新規登録の通信装置を、上記ネットワークに接続する通信装置として登録する登録処理を受付ける登録受付手段とを有することを特徴とする。
【００１１】
第３の本発明は、ネットワークに接続する通信装置を管理する通信制御装置に既に上記ネットワークに接続するための登録がなされている既登録の通信装置において、（１）上記通信制御装置に、登録要求信号を送信する登録要求信号送信手段と、（２）新規に上記通信制御装置に上記ネットワークに接続するための登録を行う新規登録の通信装置から接続可能なネットワークを探索するための探索要求信号を受信した場合、当該新規登録の通信装置と、上記通信制御装置との間の通信を中継する通信中継手段とを有することを特徴とする。
【００１２】
第４の本発明は、新規にネットワークに接続する通信装置を管理する通信制御装置に上記ネットワークに接続するための登録を行う新規登録の通信装置において、（１）接続可能なネットワークを探索するための探索要求信号を発信する探索要求信号送信手段と、（２）上記通信制御装置に既に上記ネットワークに接続するための登録がなされている既登録の通信装置から、探索要求信号に対する応答があった場合、当該既登録の通信装置を介して、上記通信制御装置と通信して、上記ネットワークに登録する要求を行う登録要求手段とを有することを特徴とする。
【００１３】
第５の本発明は、ネットワークに接続する通信装置を管理する通信制御装置と、上記通信制御装置に、既に上記ネットワークに接続するための登録がなされている１又は複数の既登録の通信装置と、新規に上記通信制御装置に上記ネットワークに接続するための登録を行う新規登録の通信装置とを備えるネットワークシステムにおいて、（１）上記通信制御装置は、（１−１）いずれかの既登録の通信装置から、新規登録の通信装置の登録要求を示す登録要求信号を受信した場合、上記ネットワーク上に、新規登録の通信装置の登録が可能な状態であることを判断する登録可能状態判定手段と、（１−２）上記登録可能状態判定手段が、新規登録の通信装置の登録を可能な状態であることを判断した場合、既登録の通信装置を介して、新規登録の通信装置と通信し、当該新規登録の通信装置を、上記ネットワークに接続する通信装置として登録する登録処理を受付ける登録受付手段とを有し、（２）第１の上記既登録の通信装置は、上記通信制御装置に、登録要求信号を送信する登録要求信号送信手段を有し、（３）第２の上記既登録の通信装置は、新規登録の通信装置から接続可能なネットワークを探索するための探索要求信号を受信した場合、当該新規登録の通信装置と、上記通信制御装置との間の通信を中継する通信中継手段を有し、（４）上記新規登録の通信装置は、（４−１）探索要求信号を発信する探索要求信号送信手段と、（４−２）既登録の通信装置から探索要求信号に対する応答があった場合、当該既登録の通信装置を介して、上記通信制御装置と通信して、上記ネットワークに登録する要求を行う登録要求手段とを有することを特徴とする。
【００１４】
第６の本発明は、ネットワークに接続する通信装置を管理する通信制御装置に既に上記ネットワークに接続するための登録がなされている既登録の通信装置において、新規に上記通信制御装置に上記ネットワークに接続するための登録を行う新規登録の通信装置から接続可能なネットワークを探索するための探索要求信号を受信した場合、当該新規登録の通信装置と、上記通信制御装置との間の通信を中継する通信中継手段を有することを特徴とする。
【００１５】
第７の本発明は、ネットワークに接続する通信装置を管理する通信制御装置に既に上記ネットワークに接続するための登録がなされている既登録の通信装置において、上記通信制御装置に、登録要求信号を送信する登録要求信号送信手段を有することを特徴とする。
【発明の効果】
【００１６】
本発明によれば、ネットワークに新規に通信装置を登録する作業を簡易とすることができる。
【図面の簡単な説明】
【００１７】
【図１】第１の実施形態のネットワークシステムの動作について示したシーケンス図である。
【図２】第１の実施形態に係るネットワークシステムの全体構成の例について示したブロック図である。
【図３】第１の実施形態に係る通信装置の機能的構成について示したブロック図である。
【図４】第１の実施形態に係る通信装置がマルチホップネットワークに新規登録される際の状態について示したブロック図である。
【図５】第１の実施形態に係る通信装置がマルチホップネットワークに既に登録さている状態について示したブロック図である。
【図６】第１の実施形態に係る登録装置の機能的構成について示したブロック図である。
【図７】第２の実施形態のネットワークシステムの動作について示したシーケンス図である。
【図８】第３の実施形態に係るネットワークシステムの全体構成の例について示したブロック図である。
【図９】第３の実施形態に係る登録装置の機能的構成について示したブロック図である。
【図１０】第３の実施形態に係るネットワークシステムの動作について示したシーケンス図である。
【発明を実施するための形態】
【００１８】
（Ａ）第１の実施形態
以下、本発明によるネットワークシステム、通信制御装置及び通信装置の第１の実施形態を、図面を参照しながら詳述する。以下では、本発明の通信制御装置を登録装置に適用した例について説明する。
【００１９】
（Ａ−１）第１の実施形態の構成
図２は、この実施形態のネットワークシステム１の全体構成を示すブロック図である。
【００２０】
この実施形態において、ネットワークシステム１には、マルチホップネットワークＮを構成している３台の通信装置１０（１０−１〜１０−３）と、これからマルチホップネットワークＮに新規登録する通信装置１０（１０−４）と、登録装置２０とが配置されているものとして説明する。なお、通信システム１に配置される通信装置１０及び登録装置２０の数は限定されないものである。
【００２１】
図２に示す各通信装置１０は、マルチホップネットワークＮを構成する無線ノードである。ネットワークシステム１では、登録装置２０により、マルチホップネットワークＮに参加しているノード（通信装置１０）が管理されているものとする。すなわち、マルチホップネットワークＮには、登録装置２０に登録（認証）されたノード（通信装置１０）のみが継続的に参加（接続）できる。
【００２２】
各通信装置１０に搭載される上位機能（アプリケーション）については限定されないものであり、例えば、センサノード等の無線通信を行うノード（例えば、種々の無線ＬＡＮのインタフェース仕様に基づいて無線通信を行う無線ノード）を適用することができる。また、ネットワークシステム１において、マルチホップネットワークＮ内でのトポロジについては限定されないものであり、種々のルーティングプロトコル等を用いて収束する構成となっているものとして説明する。この実施形態の例では、図２に示すように、通信装置１０−２を中心として通信装置１０−１、１０−２、及び登録装置２０がリンクしている状態で、通信装置１０−２の配下に、さらに通信装置１０−４が新規接続されるものとして説明する。
【００２３】
次に、各通信装置１０の内部構成について説明する。
【００２４】
図３は、通信装置１０の内部構成について示した説明図である。
【００２５】
図３に示すように、通信装置１０は、送信部１１、受信部１２、通信処理部１３、入力部１４、表示部１５、及び電源部１６を有している。
【００２６】
図３においては図示を省略しているが、通信装置１０には、その機能に応じた上位層の構成要素（例えば、所定のセンサにより検知した値のデータを送信する機能等）が搭載される。
【００２７】
送信部１１及び受信部１２は、通信装置１０が無線信号を送受信する無線インタフェースとして機能するものである。
【００２８】
電源部１６は、当該通信装置１０の各構成要素に電力供給を行うものである。この実施形態では、電源部１６には、電源ＯＮ／ＯＦＦの切替可能な電源スイッチ１６０が設けられているものとする。電源スイッチ１６０の形状は限定されないものであり、例えば、ボタン形式のものとしてもよい。
【００２９】
通信処理部１３は、当該通信装置１０に係る通信処理を行うものであり、新規登録要求部１３１、ネットワーク登録処理部１３２、ネットワーク情報管理部１３３、新規登録モード要求部１３４、新規登録モード取得部１３５、及び登録処理中継部１３６を有している。通信処理部１３は、送信部１１及び受信部１２を用いて、登録装置２０との間で通信制御に係る信号を送受信することにより、マルチホップネットワークＮへ参加するための新規登録処理や、新規登録処理後にマルチホップネットワークＮへ参加する処理（以下、「新規登録処理」と呼ぶ）等を行う。また、通信処理部１３は、新規登録処理の後、これからネットワーク参加処理を行う他の通信装置１０（新規登録処理実行前の通信装置１０）と、登録装置２０との間の中継（仲介）の処理（以下、「新規登録中継処理」と呼ぶ）も実行する。
【００３０】
入力部１４及び表示部１５は、通信装置１０におけるユーザインタフェース（主として当該通信装置１０を設置する作業者向けのユーザインタフェース）として機能するものである。入力部１４は、作業者から操作を受付けるための操作受付手段（入力手段）である。この実施形態においては、入力部１４は１個のボタン１４０を用いて構成されているものとして説明する。なお、入力部１４を構成するデバイスの種類や数は限定されないものである。例えば、入力部１４として複数のボタンやタッチパネル等を用いるようにしてもよいことは当然である。なお、入力部１のボタン１４０と、電源部１６の電源スイッチ１６０とは、一つのボタン等を用いて構成するようにしてもよい。
【００３１】
表示部１５は、作業者に当該通信装置１０の状態等を表示出力する表示出力手段である。この実施形態においては、表示部１５は１個のランプ１５０（例えば、ＬＥＤランプ）を用いて構成されているものとして説明する。なお、表示部１５を構成するデバイスの種類や数は限定されないものである。例えば、表示部１５として複数のランプやディスプレイ等を用いるようにしてもよいことは当然である。なお、特に作業者に対して提示する信号が必要ない場合には、表示部１５は省略するようにしてもよい。
【００３２】
ランプ１５０は、通信処理部１３の制御に応じて点灯・点滅等を行うことが可能である。例えば、通信処理部１３の動作状態の遷移に応じてランプ１５０の点滅や点灯等を行うようにしてもよい。また、通信処理部１３は、マルチホップネットワークＮへの登録成功や失敗等の処理結果に応じて点灯・点滅等を行うようにしてもよい。
【００３３】
次に、通信装置１０が、新規登録処理を行う際の状態、及び新規登録処理後の状態（既登録の状態）について、図４及び図５を用いて説明する。
【００３４】
図４は、通信装置１０において新規登録処理を行う前の状態（図２に示す通信装置１０−４の状態）について示している。通信装置１０の通信処理部１３では、新規登録処理には、新規登録要求部１３１、ネットワーク登録処理部１３２、及びネットワーク情報管理部１３３が用いられる。図４では、説明を簡易とするため、通信処理部１３内に、新規登録処理の際に用いられる構成要素（新規登録要求部１３１、ネットワーク登録処理部１３２、及びネットワーク情報管理部１３３）のみを図示している。
【００３５】
また、図５は、通信装置１０において新規登録処理後に新規登録中継処理が行われる際の状態（図２に示す通信装置１０−１〜１０−３の状態）について示している。通信装置１０の通信処理部１３では、新規登録処理後に行われる新規登録中継処理に、新規登録モード要求部１３４、新規登録モード取得部１３５、及び登録処理中継部１３６が用いられる。図５では、説明を簡易とするため、通信処理部１３内に、ネットワーク参加処理の際に用いられる構成要素（新規登録モード要求部１３４、新規登録モード取得部１３５、及び登録処理中継部１３６）のみを図示している。
【００３６】
次に、図４を用いて、通信装置１０において新規登録処理を行う際に用いられる構成要素（新規登録要求部１３１、ネットワーク登録処理部１３２、及びネットワーク情報管理部１３３等）の詳細について説明する。
【００３７】
新規登録要求部１３１は、当該通信装置１０が参加するネットワーク情報を新たに設定するための動作モード（以下、「新規登録モード」と呼ぶ）を起動するものである。通信装置１０（新規登録要求部１３１）において、新規登録モードの起動判断方法は、特に限定されないが、第１の実施形態では例として、入力部１４に対する所定の操作（ボタン１４０の押下）により起動するものとして説明する。なお、通信装置１０では、例えば、工場出荷時の状態で電源投入する（電源スイッチ１６０をＯＮ状態に切替える）ことにより新規登録モードを起動するようにしてもよいし、ボタン１４０を押下しながら電源投入する（電源スイッチ１６０をＯＮ状態に切替える）ことにより新規登録モードを起動するようにしてもよい。新規登録要求部１３１は、ユーザによる上述の所定の操作に応じて、新規登録モードの起動開始要求をネットワーク登録処理部１３２へ与える。
【００３８】
ネットワーク登録処理部１３２は、マルチホップネットワークＮの登録装置２０との間で新たに登録処理を実施し、当該ネットワークを参加しても良いネットワークとして登録するか否かを判断するものである。ネットワーク登録処理部１３２は、新規登録要求部１３１より、新規登録モードの起動開始要求を与えられることにより、新規登録処理を開始する。ネットワーク登録処理部１３２は、まず、ネットワーク探索要求（接続可能なネットワークを探索するための信号（フレーム））を送信部１１へ与え、受信部１２を介して応答があったネットワーク情報（マルチホップネットワークＮを含むネットワークの識別情報）の中から、参加要求を出すネットワークを選択する。ネットワーク情報には、例えば、新規登録モード中であることを示す情報やネットワークの識別情報が含まれており、ネットワーク登録処理部１３２は、これらの情報に基づいて参加要求を出すネットワークを選択しても良い。ネットワーク登録処理部１３２は、選択したネットワークに対して参加要求を送信し、前記ネットワークから参加許可または拒否の応答を受信することにより完了する。ネットワーク登録処理部１３２は、当該通信装置１０とマルチホップネットワークＮの登録装置２０間の認証処理を伴っても良い。ネットワーク登録処理部１３２が行う認証処理の詳細については、特に限定しないが、例えば、共通鍵暗号や公開鍵暗号といった暗号技術に基づく認証・鍵交換を実施しても良い。
【００３９】
ネットワーク登録処理部１３２は、マルチホップネットワークＮから参加許可の応答を受信することにより、マルチホップネットワークＮの登録を判断しても良い。また、ネットワーク登録処理部１３２は、マルチホップネットワークＮから参加拒否の応答を受信することや、応答を得られないことにより、マルチホップネットワークＮの登録処理を中止しても良い。ネットワーク登録処理部１３２は、登録を判断したネットワーク情報をネットワーク情報管理部１３３へ与える。ここで、ネットワーク情報には、ネットワークの識別情報や、ネットワーク情報登録後の再参加時の認証処理に利用する認証情報等を含んでも良い。
【００４０】
ネットワーク情報管理部１３３は、当該通信装置１０が登録したネットワーク情報を管理するものである。ネットワーク情報管理部１３３は、ネットワーク登録処理部１３２より、参加を許可されたネットワーク情報を与えられることにより、当該ネットワーク情報を管理する。ネットワーク情報には、例えば、ネットワークの識別情報やネットワークの認証情報を含んでも良い。
【００４１】
図４の状態において、送信部１１は、ネットワークの登録処理の際に、ネットワーク登録処理部１３２から与えられたデータを送信する処理を行うことになる。また、図４の状態において、受信部１２は、登録処理を実施するネットワークから受信したデータを、ネットワーク登録処理部１３２へ与えることになる。
【００４２】
次に、図５を用いて、通信装置１０において新規登録中継処理を行う際に用いられる構成要素（新規登録モード要求部１３４、新規登録モード取得部１３５、登録処理中継部１３６等）の詳細について説明する。
【００４３】
新規登録モード要求部１３４は、マルチホップネットワークＮの登録装置２０に対して、新規登録モードの開始を要求するものである。新規登録モード開始の要求判断方法は、特に限定しないが、例えば、当該通信装置１０が装備するボタン１４０を押下（又は所定時間以上押下の状態とする長押し）することにより実現するようにしてもよい。また、入力部１４が複数のボタンを備える場合に、新規登録モード要求部１３４は、複数のボタンを同時押しすることにより新規登録モードの開始を判断するようにしてもよい。さらに、新規登録モード要求部１３４は、当該通信装置１０と接続可能な装置からの指示により新規登録モードを開始するようにしてもよい。新規登録モード要求部１３４は、新規登録モードの開始要求を送信部１１へ与える。ここで、新規登録モードの開始要求には、暗号化処理や認証処理により、盗聴、改竄、なりすましといった攻撃に耐性を持たせても良い。
【００４４】
新規登録モード取得部１３５は、受信部１２より新規登録モード設定通知を与えられることにより、マルチホップネットワークＮが新規登録モードに設定されたことを認識するものである。新規登録モード設定通知は、暗号化処理や認証処理により、盗聴、改竄、なりすましといった攻撃に耐性を持たせても良い。新規登録モード取得部１３５は、新規登録モード設定通知を、登録処理中継部１３６へ与える。
【００４５】
登録処理中継部１３６は、新規に登録される通信装置１０と、マルチホップネットワークＮの登録装置２０間で送受信される登録処理を仲介するものである。登録処理中継部１３６は、新規登録モード取得部１３５より、新規登録モード設定通知を与えられることにより、新規に登録される通信装置１０からのネットワーク探索要求に対して、新規登録モード中であることを応答する。ここで、登録処理中継部１３６は、新規登録モード中であることの応答は、当該既に登録されている通信装置１０が属するマルチホップネットワークＮの識別情報と共に応答しても良い。また、登録処理中継部１３６は、新規に登録される通信装置１０からのネットワーク探索要求を登録装置２０へ中継配送するために送信部１１へ与え、受信部１２より与えられる新規登録モード中であることを示すネットワーク情報を、前記新規に登録される通信装置１０へ中継配送するために送信部１１へ与えても良い。
【００４６】
登録処理中継部１３６は、新規に登録される通信装置１０からのネットワーク参加要求を、受信部１２を介して与えられることにより、当該新規に登録される通信装置１０と、マルチホップネットワークＮの登録装置２０間の認証メッセージの交換を中継配送する。前記認証メッセージには、例えば、ネットワークヘの参加認証処理や、アドレス情報の設定、通信経路情報の設定のためにやりとりされるメッセージを含んでも良い。
【００４７】
図５の状態において、送信部１１は、新規登録モード要求部１３４から与えられる新規登録モード開始要求を、マルチホップネットワークＮの登録装置２０へ向けて送信する。また、図５の状態において、送信部１１は、新規に登録される通信装置１０とマルチホップネットワークＮの登録装置２０間のネットワークの登録処理において、登録処理中継部１３６から与えられた情報を送信する。さらにまた、図５の状態において、受信部１２は、マルチホップネットワークＮの登録装置２０から与えられる新規登録モード設定通知を、新規登録モード取得部１３５へ与える。また、図５の状態において、受信部１２は、新規に登録される通信装置１０とマルチホップネットワークＮの登録装置２０間のネットワークの登録処理に関わる情報を、登録処理中継部１３６へ与える。
【００４８】
次に、登録装置２０の構成について図６を用いて説明する。
【００４９】
登録装置２０は、新規登録モード要求取得部２３１、通信装置登録処理部２３２、通信装置情報管理部２３３、送信部２１、及び受信部２２を有する。
【００５０】
送信部２１及び受信部２２は、登録装置２０が無線信号を送受信する無線インタフェースとして機能するものである。
【００５１】
新規登録モード要求取得部２３１は、受信部２２より、新規登録モード開始要求を与えられることにより、通信装置１０の新規接続を受け入れ、設定するための新規登録モードを起動するものである。ここで、新規登録モード開始要求は、暗号化処理や認証処理により、盗聴、改竄、なりすまし等の攻撃に耐性を持たせても良い。新規登録モード要求取得部２３１は、新規登録モード起動要求を通信装置登録処理部２３２へ与える。
【００５２】
通信装置登録処理部２３２は、通信装置１０との間で新規に登録処理を実施し、当該通信装置１０をネットワークに登録するか否かを判断するものである。通信装置登録処理部２３２は、新規登録モード要求取得部２３１より新規登録モード起動要求を与えられることにより、当該マルチホップネットワークＮに、新規に通信装置１０を登録するための処理を実施する。通信装置登録処理部２３２は、マルチホップネットワークＮを形成するすべての通信装置１０に対して、新規登録モード（新規登録が受付可能な状態）への突入を通知するための通知（新規登録モード設定通知）を送信部２１へ与える。通信装置登録処理部２３２は、通信装置登録処理においては、例えば、新規登録モード起動要求を与えられた後から、任意の期間のみを実施し、任意の期間の終了後は、実施しないように制御しても良い。
【００５３】
また、通信装置登録処理部２３２は、例えば、当該登録装置２０に対する操作（例えば、図示しないボタンの押下等）により、通信装置登録処理の実施を中止しても良い。通信装置登録処理部２３２において、通信装置登録処理は、例えば、任意の通信装置１０より参加要求を受信し、参加許可または拒否を応答することにより実施される。通信装置登録処理部２３２において、通信装置登録処理は、通信装置１０と当該登録装置２０間の認証処理を伴っても良い。通信装置登録処理部２３２が行う認証処理の方式は、特に限定しないが、例えば、共通鍵暗号や公開鍵暗号といった暗号技術に基づく認証・鍵交換を実施しても良い。
【００５４】
通信装置情報管理部２３３は、当該登録装置２０が参加することを許可した通信装置１０の情報を管理するものである。通信装置情報管理部２３３は、通信装置登録処理部２３２より与えられた、参加が許可された通信装置の情報を管理する。前記通信装置の情報とは、例えば、ＭＡＣアドレス等の通信装置１０を識別する情報であり、さらに、通信装置１０を認証するための認証情報を含んでも良い。
【００５５】
送信部２１は、ネットワーク参加処理において、通信装置登録処理部２３２から与えられた情報を送信する。また、受信部２２は、既に登録されている通信装置１０から受信した新規登録モード開始要求を新規登録モード要求取得部２３１へ与える。さらに、受信部２２は、新規登録処理、登録処理を実施する通信装置１０から受信した情報を、通信装置登録処理部２３２へ与える。
【００５６】
（Ａ−２）第１の実施形態の動作
次に、以上のような構成を有する第１の実施形態のネットワークシステム１の動作を説明する。
【００５７】
図１は、ネットワークシステム１の動作の一例を説明したシーケンス図である。図１では、マルチホップネットワークＮに３台の通信装置１０−１〜１０−３が登録されている状態で、新たに通信装置１０−４を登録する処理について示したシーケンス図となっている。図１では、ネットワークシステム１の動作について、大別して３つのステップＳ１０１（新規登録モードの起動）、Ｓ１０２（登録処理）、Ｓ１０３（登録設定）の処理が含まれている。
【００５８】
図１では、「既に登録されている通信装置１０」を通信装置１０−２、「新規に登録される通信装置１０」を通信装置１０−４として説明する。すなわち、図１では、新規に登録される通信装置１０−４は、既に登録さている通信装置１０−２を経由して登録装置２０にアクセスして新規登録処理を行うことになる。
【００５９】
［Ｓ１０１］新規登録モードの起動
まず、既に登録されている通信装置１０−２の新規登録モード要求部１３４において、新規登録モードの開始要求が判断され（Ｓ１０１−１）、新規登録モード開始要求が登録装置２０へ送信されたものとする（Ｓ１０１−２）。ここでは、既に登録されている通信装置１０−２において、入力部１４のボタン１４０が押下され、新規登録モード要求部１３４で、新規登録モードの開始要求の判断が行われたものとする。
【００６０】
次に、登録装置２０の新規登録モード要求取得部２３１において、新規登録モード開始要求が与えられ、新規登録モードの起動が判断される。新規登録モードの起動要求が、通信装置登録処理部２３２へ与えられる（Ｓ１０１−３）。
【００６１】
次に、登録装置２０の通信装置登録処理部２３２が、新規登録モードを開始し、新規登録モード設定通知が現在マルチホップネットワークＮを形成するすべての通信装置１０（１０−１〜１０−３）へ送信される（Ｓ１０１−４）。これにより、既に登録されている通信装置１０−２の新規登録モード取得部１３５において、新規登録モード設定通知が受理され、登録処理中継部１３６において、新規登録処理の中継処理が開始する。
【００６２】
そして、新規に登録される通信装置の新規登録要求部１３１において、新規登録モードの起動が判断され、新規登録モードの起動開始要求がネットワーク登録処理部１３２へ与えられたものとする（Ｓ１０１−５）。ここでは、新規に登録される通信装置１０−４において、入力部１４のボタン１４０が押下され、新規登録要求部１３１で、新規登録モードの起動が判断されたものとする。
【００６３】
［Ｓ１０２］登録処理
次に、新規に登録される通信装置１０−４のネットワーク登録処理部１３２において、ネットワーク探索要求が生成され、送信部１１を介して近傍の通信装置１０（通信装置１０−２を含む）に発信される（Ｓ１０２−１）。そして、このネットワーク探索要求は、通信装置１０−４の近傍に位置する通信装置１０−２により受信されることになる。
【００６４】
次に、既に登録されている通信装置１０−２の登録処理中継部１３６において、ネットワーク探索要求が与えられ、新規登録モード中であることを示すネットワーク情報（マルチホップネットワークＮのネットワーク情報）を応答する（Ｓ１０２−２）。なお、ネットワーク探索要求を登録装置２０に中継配送し、登録装置２０より返信されるネットワーク情報を新規に登録される通信装置１０−４へ応答しても良い。
【００６５】
次に、新規に登録される通信装置１０−４のネットワーク登録処理部１３２において、新規登録モード中のマルチホップネットワークＮが参加先のネットワークとして選択され、送信部１１を介して参加要求が送信（通信装置１０−２を経由して登録装置２０に送信）される。そして、新規に登録される通信装置１０−４のネットワーク登録処理部１３２と、登録装置２０の通信装置登録処理部２３２との間で、登録処理が実施される（例えば、通信装置のＭＡＣアドレス等の装置確認情報と、ネットワークの識別情報等のネットワーク情報が交換される）（Ｓ１０２−３）。ここでは、既に登録されている通信装置１０−２の登録処理中継部１３６が、新規に登録される通信装置１０−４と登録装置２０の間で交換する情報を中継配送することになる。当該登録処理は、新規に登録される通信装置１０−４と登録装置２０の間で暗号技術に基づく認証処理を行っても良い。ここでは、認証処理に成功すると同時に、当該通信装置１０−４が再参加時の認証処理に利用する認証情報（例えば、事前共有鍵やパスワード等）を新たに生成しても良し、当該通信装置１０−４が再参加時の認証処理に利用する認証情報（例えば、当該通信装置１０−４の公開鍵等）を保持しても良い。また、ここで、通信装置１０−４は、認証処理に失敗することにより、登録処理を中止しても良い。
【００６６】
次に、登録装置２０の通信装置登録処理部２３２において、参加許可もしくは参加拒否の応答メッセージが生成され、送信部２１を介して、新規に登録される通信装置１０−４へ送信される。そして、新規に登録される通信装置１０−４のネットワーク登録処理部１３２において、参加許可もしくは参加拒否の応答メッセージが与えられ、現在登録処理中のネットワークの登録を判断することになる（Ｓ１０２−４）。
【００６７】
［Ｓ１０３］登録設定
次に、登録装置２０の通信装置情報管理部２３３において、登録を判断した通信装置１０−４の情報が管理される。ここでは、ＭＡＣアドレス等の通信装置を識別する情報の他に、当該通信装置１０登録後の再参加時の認証処理に利用する認証情報（例えば、事前共有鍵やパスワード、公開鍵等）を含んでも良い。また、通信装置１０−４のネットワーク情報管理部１３３において、登録を判断したネットワークの識別情報（マルチホップネットワークＮの識別情報）が管理される。ネットワーク情報管理部１３３では、ネットワークの識別情報の他に、ネットワーク情報登録後の再参加時の認証処理に利用する認証情報（例えば、事前共有鍵やパスワード、公開鍵等）を含んでも良い（Ｓ１０３−１）。
【００６８】
（Ａ−３）第１の実施形態の効果
第１の実施形態によれば、以下のような効果を奏することができる。
【００６９】
第１の実施形態によれば、マルチホップネットワークＮの登録装置２０を操作（例えば、図示しないボタン等の押下）を必要とせずに、新規に登録する通信装置１０の近傍に存在する既登録の通信装置１０（ボタン１４０が押下され新規登録モードが開始した通信装置０；以下「中継装置」とも呼ぶ）の入力部１４（ボタン１４０）を操作（押下）することにより、マルチホップネットワークＮを制御する登録装置２０の新規登録モードを開始させることができる。これにより、マルチホップネットワークＮを制御する登録装置２０に対して、新規に通信装置１０を登録するときに、既登録の登録装置２０と、新規に登録する通信装置１０とが物理的に離れている場合でも、通信装置１０の設置者が、登録装置２０まで移動して新規登録モードを起動することなく、容易に新規登録モードを開始することができる。さらに、通信装置１０では、入力部１４の構成を１つのボタン１４０等簡素な構成で実現することができる。
【００７０】
また、既登録の通信装置１０を直接操作できる者でなければ、通信装置１０の新規登録を行うことができないので、通信装置１０の登録作業を容易としつつ、マルチホップネットワークＮの不正アクセスを抑制することも可能となる。
【００７１】
（Ｂ）第２の実施形態
以下、本発明によるネットワークシステム、通信制御装置及び通信装置の第２の実施形態を、図面を参照しながら詳述する。以下では、本発明の通信制御装置を登録装置に適用した例について説明する。
【００７２】
（Ｂ−１）第２の実施形態の構成
第２の実施形態の全体構成及び各装置（通信装置１０及び登録装置２０）の内部構成についても、第１の実施形態と同様に上述の図２〜図６で示すことができる。以下では、第２の実施形態について第１の実施形態との差異を説明する。
【００７３】
第２の実施形態では、マルチホップネットワークＮの登録装置２０が、既に登録されている通信装置１０のうち、新規に登録される通信装置１０と登録装置２０との間の通信を中継する通信装置１０（中継装置）のみに対して、新規登録モードの設定を通知し、登録処理において、登録処理を中継処理する通信装置１０を確認するものとする。
【００７４】
以下では、説明を簡易とするため、第１の実施形態と同様に、既に登録されている通信装置１０を通信装置１０−２、新規に登録される通信装置を通信装置１０−４として説明する。
【００７５】
第２の実施形態の既に登録されている通信装置１０−２では、登録処理中継部１３６の一部の処理が、第１の実施形態と異なっている。
【００７６】
第２の実施形態の登録処理中継部１３６は、新規に登録される通信装置１０−４から与えられるネットワーク参加要求、および、認証メッセージを、登録装置２０へ中継配送する際、メッセージの中継配送元が当該既に登録されている通信装置１０−２であることを登録装置２０に証明するために、共通鍵暗号や公開鍵暗号などの暗号技術を用いてメッセージを認証処理しても良い。
【００７７】
第２の実施形態における登録装置２０では、新規登録モード要求取得部２３１、および、通信装置登録処理部２３２に関して一部の動作が異なる。以下、第２の実施形態の登録装置２０について、第１の実施形態との差異を説明する。
【００７８】
第２の実施形態の新規登録モード要求取得部２３１は、新規登録モード開始要求を与えられると共に、当該新規登録モード開始要求を送信した通信装置１０のアドレス情報を取得し、新規登録モード起動要求と共に、当該取得したアドレス情報を通信装置登録処理部２３２へ与える。
【００７９】
第２の実施形態の通信装置登録処理部２３２は、新規登録モード要求取得部２３１より、新規登録モード起動要求と共に、当該新規登録モード起動要求の送信元アドレス情報をも取得する。また、第２の実施形態の通信装置登録処理部２３２は、マルチホップネットワークＮを形成する通信装置１０のうち、当該送信元アドレス情報が設定された通信装置１０に対してのみ、新規登録モードヘの移行を通知するために、新規登録モード設定通知を送信部２１へ与える。さらに、第２の実施形態の通信装置登録処理部２３２は、任意の通信装置１０より参加要求、および、登録処理に必要な認証メッセージを与えられた場合に、その中継装置が前記送信元アドレス情報を持つ通信装置であることを確認しても良い。ここでは、メッセージの中継配送元が前記中継装置であることを確認するために、共通鍵暗号や公開鍵暗号などの暗号技術を用いてメッセージを認証処理しても良い。さらにまた、第２の実施形態の通信装置登録処理部２３２は、メッセージの中継配送元となる通信装置１０が、新規登録モード設定通知を送った中継装置であることを確認できる場合のみ、登録処理を継続し、確認できない場合は、登録処理を中止しても良い。
【００８０】
（Ｂ−２）第２の実施形態の動作
次に、以上のような構成を有する第２の実施形態のネットワークシステム１の動作を説明する。
【００８１】
図７は、第２の実施形態のネットワークシステム１の動作の一例を説明したシーケンス図である。図７では、マルチホップネットワークＮに３台の通信装置１０−１〜１０−３が登録されている状態で、新たに通信装置１０−４を登録する処理について示したシーケンス図となっている。なお、図７のシーケンス図では、図１と同一又は対応するステップについて同一又は対応するステップ番号（符号）を付している。図７では、ネットワークシステム１の動作について、大別して３つのステップＳ１０１Ａ（新規登録モードの起動）、Ｓ１０２Ａ（登録処理）、Ｓ１０３（登録設定）の処理が含まれている。第２の実施形態では、第１の実施形態と比較して、ステップＳ１０１、Ｓ１０２がステップＳ１０１Ａ、Ｓ１０２Ａに置き換わっている。
【００８２】
以下では、第２の実施形態のネットワークシステム１において、第１の実施形態の動作（上述の図１に示シーケンス）との差異のみを説明する。
【００８３】
［Ｓ１０１Ａ］新規登録モードの起動
第２の実施形態のステップＳ１０１Ａでは、第１の実施形態のステップＳ１０１におけるステップＳ１０１−３、Ｓ１０２−４が、ステップＳ１０１Ａ−３、Ｓ１０１Ａ−４に置き換わっている。
【００８４】
ステップＳ１０１Ａ−３では、登録装置２０の新規登録モード要求取得部２３１で、新規登録モード開始要求と共に当該新規登録モード開始要求の送信元アドレス情報（通信装置１０−２のアドレス）が取得され、新規登録モードの起動要求および送信元アドレス情報が、通信装置登録処理部２３２へ与えられる。
【００８５】
ステップＳ１０１Ａ−４では、登録装置２０の通信装置登録処理部２３２が、新規登録モードを開始し、新規登録モード設定通知が新規登録モード要求取得部２３１から与えられた送信元アドレス情報が設定された通信装置１０−２へ送信する。
【００８６】
［Ｓ１０２Ａ］登録処理
第２の実施形態のステップＳ１０２Ａでは、第１の実施形態と比較して、ステップＳ１０２−３がステップＳ１０２Ａ−３に置き換わっている。
【００８７】
ステップＳ１０２Ａ−３では、既に登録されている通信装置１０−２の登録処理中継部１３６が、新規に登録される通信装置１０−４からのネットワーク参加要求、および、認証メッセージの中継配送元が自装置であることを登録装置２０に証明するために、暗号技術を用いてメッセージの送信元を認証処理する処理を行う。
【００８８】
また、ステップＳ１０２Ａ−３では、登録装置２０の通信装置登録処理部２３２が、ネットワーク参加要求、および、認証メッセージを与えられた場合に、その中継配送元が、前記新規登録モード要求取得部２３１から与えられた送信元アドレス情報を持つ通信装置１０であるか否かを確認する。通信装置登録処理部２３２は、その確認に、暗号技術を用いたメッセージの送信元認証を利用するようにしても良い。
【００８９】
（Ｂ−３）第２の実施形態の効果
第２の実施形態によれば、以下のような効果を奏することができる。
【００９０】
第２の実施形態では、マルチホップネットワークＮの登録装置２０が、中継装置となる既登録の通信装置１０（ボタン１４０が押下された既登録の通信装置１０）のみに対して新規登録モードの設定を通知する。また、第２の実施形態では、登録処理に関しては、登録装置２０が、登録処理を中継処理する通信装置１０を確認することができる。これにより、第２の実施形態では、中継装置となる既登録の通信装置１０（ボタン１４０が押下された既登録の通信装置１０）以外から第三者の通信装置が、マルチホップネットワークＮヘ不正に接続（誤接続）すること等を抑制することができる。
【００９１】
（Ｃ）第３の実施形態
以下、本発明によるネットワークシステム、通信制御装置及び通信装置の第３の実施形態を、図面を参照しながら詳述する。以下では、本発明の通信制御装置を登録装置に適用した例について説明する。
【００９２】
（Ｃ−１）第３の実施形態の構成
図８は、第３の実施形態のネットワークシステム１Ｂの全体構成について示したブロック図である。
【００９３】
第３の実施形態では、登録装置２０が登録装置２０Ｂに置き換わっている点で第１の実施形態と異なっている。以下、第３の実施形態について第１の実施形態との差異を説明する。なお、第３の実施形態において、各通信装置１０の構成については第１の実施形態と同様であるため詳しい説明を省略する。
【００９４】
次に、第３の実施形態の登録装置２０Ｂの機能的構成について図９を用いて説明する。
【００９５】
第３の実施形態の登録装置２０Ｂは、新規登録モード要求を許可する通信装置１０を事前に把握しておき、その通信装置２０からの新規登録モード要求に対してのみ、新規登録モードを起動する。
【００９６】
第３の実施形態の登録装置２０Ｂでは、登録処理部２３に、新規登録モード権限管理部２３４が追加されている点で、第１の実施形態と異なっている。また、第３の実施形態の登録装置２０Ｂでは、新規登録モード要求取得部２３１の処理の一部が第１の実施形態と異なっている。
【００９７】
第３の実施形態の新規登録モード要求取得部２３１は、新規登録モード開始要求を与えられると共に、当該新規登録モード開始要求を送信した通信装置の識別情報を取得し、当該通信装置１０の識別情報が、新規登録モード権限管理部２３４より与えられた識別情報に含まれる場合にのみ、新規登録モードを起動すると判断する。
【００９８】
新規登録モード権限管理部２３４は、既にマルチホップネットワークＮに登録される通信装置１０のうち、新規登録モード要求を受け入れる通信装置１０（中継装置となることが許可された通信装置１０）を事前に把握しておくものである。新規登録モード権限管理部２３４は、既に登録されている通信装置１０−２のうち、新規登録モードの起動を許す通信装置１０の識別情報を管理し、管理する識別情報を新規登録モード要求取得部２３１へ与える。
【００９９】
新規登録モード権限管理部２３４において、新規登録モードの起動を許す通信装置１０の把握方法（管理方法）は、特に限定しないが、例えば、オペレータにより手動設定で入力可能としてもよいし、別途通信装置１０管理を行うサーバ（データベースサーバ）や認証サーバ等を構築して管理するようにしてもよい。
【０１００】
（Ｃ−２）第３の実施形態の動作
次に、以上のような構成を有する第３の実施形態のネットワークシステム１Ｂの動作を説明する。
【０１０１】
図１０は、第３の実施形態のネットワークシステム１Ｂの動作の一例を説明したシーケンス図である。図１０では、マルチホップネットワークＮに３台の通信装置１０−１〜１０−３が登録されている状態で、新たに通信装置１０−４を登録する処理について示したシーケンス図となっている。なお、図１０のシーケンス図では、上述の図１と同一又は対応するステップについて同一又は対応するステップ番号（符号）を付している。図１０では、ネットワークシステム１Ｂの動作について、大別して３つのステップＳ１０１Ｂ（新規登録モードの起動）、Ｓ１０２（登録処理）、Ｓ１０３（登録設定）の処理が含まれている。第３の実施形態では、第１の実施形態と比較して、ステップＳ１０１がステップＳ１０１Ｂに置き換わっている。以下では、図１に示す第１の実施形態のシーケンス図と異なる部分のみを説明する。
【０１０２】
［Ｓ１０１Ｂ］新規登録モードの起動
第３の実施形態のステップＳ１０１Ｂの処理では、ステップＳ１０１−３の処理がステップＳ１０１Ｂ−３に置き換わっている点で第１の実施形態と異なっている。
【０１０３】
ステップＳ１０１Ｂ−３において、第３の実施形態の登録装置２０Ｂの新規登録モード要求取得部２３１は、新規登録モード開始要求、および、新規登録モード開始要求の送信元となる通信装置１０（中継装置となりえる通信装置１０）のリスト（識別情報のリスト）が、事前に新規登録モード権限管理部２３４から供給されている。そして、新規登録モード要求取得部２３１は、取得した新規登録モード開始要求の送信元となる通信装置１０の識別情報が、新規登録モード権限管理部２３４より供給された識別情報に含まれる場合にのみ、新規登録モードの起動を判断し、新規登録モードの起動要求を、通信装置登録処理部２３２へ与える。
【０１０４】
（Ｃ−３）第３の実施形態の効果
第３の実施形態によれば、以下のような効果を奏することができる。
【０１０５】
第３の実施形態では、マルチホップネットワークＮの登録装置２０Ｂが、新規登録モード要求を許可する通信装置１０を事前に把握しておき、その通信装置からの新規登録モード要求に対してのみ、新規登録モードを起動する。これにより、第３の実施形態では、マルチホップネットワークＮの登録装置２０Ｂが第三者によって意図せず新規登録モードに設定されてしまうことを防ぐことができる。例えば、第三者がアクセスしやすい屋外に設置される通信装置１０に関しては、新規登録モードを起動する権限を与えないことで、新規登録モードが不正に起動されることを防ぐことができる。また、登録装置２０以外に、新規登録モードを起動できる代表装置を事前に設定しておくことにより、新規登録モードが意図せず起動されることを防ぐことができる。
【０１０６】
（Ｄ）他の実施形態
本発明は、上記の各実施形態に限定されるものではなく、以下に例示するような変形実施形態も挙げることができる。
【０１０７】
（Ｄ−１）上記の各実施形態のネットワークシステムでは、無線通信装置により構成される無線マルチホップネットワークについて説明したが、本発明のネットワークシステムにおいて、ネットワーク接続する媒体（有線又は無線）は限定されず、一部又は全部の通信装置を有線接続とするようにしてもよい。
【０１０８】
（Ｄ−２）上記の各実施形態のネットワークシステムでは、マルチホップネットワークを前提に説明したが、本発明のネットワークシステムでは、ルーティング機能に対応する通信装置に限定されず、例えば、メッセージをリレーするだけの中継装置(例えば、レイヤ２のブリッジ機能のみに対応した通信装置)を含むようにしてもよい。
【０１０９】
（Ｄ−３）上記の各実施形態のネットワークシステムでは、中継装置となる通信装置において、新規登録モードが起動された場合に、まず、登録装置に通知し、登録装置から新規登録モードの設定が通知された後で、新規の通信装置に新規登録モード状態を応答する構成で説明したが、これに限定するものではない。例えば、中継装置において新規登録モードが起動された場合に、新規の通信装置に新規登録モード情報を応答し、新規の通信装置からの参加要求を受信した後に、登録装置に対して新規登録モードの開始要求を通知する構成としても良い。
【０１１０】
（Ｄ−４）上記の各実施形態では、既に登録されている通信装置は、新規登録モードが設定される通信装置の場合を例に説明したが、新規登録モードが設定されない通信装置においては、新規の通信装置からのネットワーク探索要求に、ネットワーク情報を応答しない構成や、新規の通信装置からの参加要求及び認証メッセージを登録装置へ中継しない構成としてもよい。これにより、本発明のネットワークシステムでは、無駄な通信の発生を抑制することができる。
【０１１１】
（Ｄ−５）上記の各実施形態において、既に登録されている通信装置は、新規に登録される通信装置と登録装置間の登録処理を中継処理する例で説明したが、既に登録されている通信装置のすべてが登録処理中継部を備えることに限定するものではない。例えば、登録処理中継部を備えない通信装置が、新規登録モード要求部で生成された新規登録モード開始要求のみを登録装置に通知する通信装置があっても良い。この場合、他の既登録の通信装置（登録処理中継部を備える通信装置）が、配下に接続された新規登録の通信装置を登録装置と通信させることになる。言い換えると、本発明のネットワークシステムでは、第１の既登録の通信装置（登録処理中継部を備えなえず新規登録モード要求部を備える通信装置）と、第２の既登録の通信装置（少なくとも登録処理中継部を備える通信装置）とを用いて、登録装置に新規登録の通信装置の登録を実行させるようにしてもよい。
【０１１２】
（Ｄ−６）本発明のネットワークシステムでは、第２の実施形態と第３の実施形態を組み合わせて適用することも可能である。すなわち、本発明のネットワークシステムにおいて、新規登録モードを開始できる中継装置を限定しつつ、当該中継装置を利用した登録処理であることを認証する構成としてもよい。
【符号の説明】
【０１１３】
１…ネットワークシステム、１０、１０−１〜１０−４…通信装置、１１…送信部、１２…受信部、１３…通信処理部、１３１…新規登録要求部、１３２…ネットワーク登録処理部、１３３…ネットワーク情報管理部、１３４…新規登録モード要求部、１３５…新規登録モード取得部、１３６…登録処理中継部、１４…入力部、１４０…ボタン、１５…表示部、１５０…ランプ、１６…電源部、１６０…電源スイッチ、２０…登録装置、２１…送信部、２２…受信部、２３…登録処理部、２３１…新規登録モード要求取得部、２３２…通信装置登録処理部、２３３…通信装置情報管理部、Ｎ…マルチホップネットワーク。
【図１】
2015233180.tif 000003
【図２】
2015233180.tif 000004
【図３】
2015233180.tif 000005
【図４】
2015233180.tif 000006
【図５】
2015233180.tif 000007
【図６】
2015233180.tif 000008
【図７】
2015233180.tif 000009
【図８】
2015233180.tif 000010
【図９】
2015233180.tif 000011
【図１０】
2015233180.tif 000012